(57)【要約】      （修正有）【課題】アクリル樹脂を切削加工し、特定の形状を備えるアクリル樹脂の板体とすると、正面及び裏面と周側面との角部が鋭利であり、手に持った際に皮膚を傷つけることがあるため、角部を安全な形状とする積層樹脂板を提供する。【解決手段】アクリル樹脂製の平板からなる芯板２と、平板の表面の全体に、塗布後固化されたウレタン樹脂によって形成されてなる保護層６と、を備え、保護層の外周縁８において、保護層の外表面と芯板の周側面とが連続してなり、保護層の外周縁部は、その外周縁端から中央部に向かって厚くなるように形成されて、外周縁部の外表面は外側に凸となる曲面に形成される。ウレタン樹脂がアクリル樹脂の板体の外周縁に係る角部７を滑らかな手触りとすることができ、物品を手に持った際に皮膚を傷つけることを防止することができる。【選択図】図２
0003228316.tif 000002
【実用新案登録請求の範囲】
【請求項１】
アクリル樹脂製の平板からなる芯板と、
前記芯板の正面及び裏面のうち少なくとも一方の面の全体に、液体状態で塗布後固化されたウレタン樹脂によって形成されてなる保護層と、を備え、
前記保護層の外周縁において、前記保護層の外表面と前記芯板の周側面とが連続してなり、
前記保護層の外周縁部は、その外周縁端から中央部に向かって厚くなるように形成されて、前記外周縁部の外表面は外側に凸となる曲面に形成されてなる
ことを特徴とする積層樹脂板。
【請求項２】
前記保護層が、前記芯板の正面、及び裏面のいずれにも形成されてなる
ことを特徴とする請求項１に記載の積層樹脂板。
【請求項３】
前記芯板の正面に印刷がされてなり、前記印刷を被覆して透明な前記保護層が形成されてなる
ことを特徴とする請求項１または２に記載の積層樹脂板。
【請求項４】
前記芯板の周側面の一部が、手指で握るための握り部となる曲面を備える取手に形成されてなる
ことを特徴とする請求項１〜３のいずれか１つに記載の積層樹脂板。
【請求項５】
前記芯板がキャラクターなどの視覚的装飾物の形状に形成されてなる請求項１〜３のいずれか１つに記載の積層樹脂板であって、前記積層樹脂板がキーホルダー又は卓上装飾具を構成してなる
ことを特徴とする装飾具。
【考案の詳細な説明】
【技術分野】
【０００１】
本考案は、手に持つ装飾具や手に持って使用する道具を構成するアクリル樹脂の平板を芯板とするものであって、ウレタン樹脂によってなる保護層を備える積層樹脂板に関する。
【背景技術】
【０００２】
アクリル樹脂によって構成されてなる板体は、高い透明度を備えることができる樹脂板を形成することができ、見た目にも美しい構造物を形成することができる。原板から切り出して特定形状を有する板体への加工も切削工具やレーザー光を使用した切削加工技術を使うことにより、所望の形状を得ることができる。
【先行技術文献】
【特許文献】
【０００３】
【特許文献１】特開２０１０−１２５７１７号公報
【考案の概要】
【考案が解決しようとする課題】
【０００４】
しかし、アクリル樹脂を切削加工し、特定の形状を備えるアクリル樹脂の板体とすると、正面及び裏面と周側面との角部が鋭利であり、手に持った際に皮膚を傷つけることがある。また、このような角部を安全な形状とするために、角部の削り加工を行うとすると、前記形状が複雑なアクリル樹脂の板体では全ての外周縁に係る角部に対して削り加工を行うことはコストがかかり現実的ではなかった。
【課題を解決するための手段】
【０００５】
そこで、上記課題を解決するための手段として本考案に係る積層樹脂板は、アクリル樹脂製の平板からなる芯板と、前記芯板の正面及び裏面のうち少なくとも一方の面の全体に、液体状態で塗布後固化されたウレタン樹脂によって形成されてなる保護層と、を備え、前記保護層の外周縁において、前記保護層の外表面と前記芯板の周側面とが連続してなり、前記保護層の外周縁部は、その外周縁端から中央部に向かって厚くなるように形成されて、前記外周縁部の外表面は外側に凸となる曲面に形成されてなることを特徴とする。
【０００６】
ここで、実用新案登録請求の範囲に係る請求項１において、本考案を構成する保護層を製造方法で表すが、これは、保護層の外周縁部の形状が、芯板の前記面上にウレタン樹脂を液状状態で塗布したあと固化することによって形成されたものであるか、初めから固体状態のウレタン樹脂を研磨及び化学的表面処理するなどして形成されたものであるかの証明を行うことが、固体状態の保護層の表面状態からでは不可能か、又はおよそ実際的ではないという事情があることに基づく。
【０００７】
前記ウレタン樹脂は、アクリル樹脂製の芯板の正面上に液体状のウレタン樹脂を、前記正面全体を覆う量滴下し、液体状のウレタン樹脂が前記芯板の外周縁で表面張力によって盛り上がった状態で乾燥固化させることが好ましい。これにより、乾燥固化したウレタン樹脂の保護層は、前記芯板の幅方向の中央部では均一な厚さを実現しつつ、保護層の外周縁部は、その外周縁端から中央部に向かって厚くなるように形成されて、前記外周縁部の外表面は外側に凸となる曲面に形成された形状を実現することができる。
【０００８】
また、前記保護層が、前記芯板の正面、及び裏面のいずれにも形成されてなるものであっても好ましい。
【０００９】
さらに、前記芯板の正面に印刷がされてなり、前記印刷を被覆して透明な前記保護層が形成されてなるものであっても好ましい。
【００１０】
さらにまた、前記芯板の周側面の一部が、手指で握るための握り部となる曲面を備える取手に形成されてなるものであっても好ましい。
【００１１】
また、本考案に係る装飾具は、前記芯板がキャラクターなどの視覚的装飾物の形状に形成されてなる前記積層樹脂板であって、前記積層樹脂板がキーホルダー又は卓上装飾具を構成してなるものであってもよい。
【考案の効果】
【００１２】
本考案によれば、ウレタン樹脂がアクリル樹脂の板体の外周縁に係る角部を滑らかな手触りとすることができ、本考案によって構成された物品を手に持った際に皮膚を傷つけることを防止することができる。
【００１３】
また、アクリル樹脂の芯板の表面に印刷がされてなる場合にあっては、ウレタン樹脂が印刷を外部からの衝撃から保護するため、印刷が経時的に外傷による劣化を生じることを抑制することができる。
【００１４】
さらに、芯板の周側面の一部が、手指で握るための握り部となる曲面を備える取手形状に形成されてなることで、本考案に係る積層樹脂板が手に持って使用する道具を形成してなる場合においても、当該道具を手に持った際に皮膚を傷つけることを防止することができる。
【００１５】
また、本考案に係る積層樹脂板がキーホルダー又は卓上装飾具を構成してなる装飾具に形成されてなる場合であっても、当該キーホルダー又は卓上装飾具を手に持った際に皮膚を傷つけることを防止することができる。
【図面の簡単な説明】
【００１６】
【図１】積層樹脂板１の正面図である。
【図２】積層樹脂板１のＡ−Ａ部分拡大端面図である。
【図３】積層樹脂板１からなるキャラクターを模した人型をスタンドＳ上に立設させて卓上装飾具１０とした状態の例を示す斜視図である。
【図４】積層樹脂板１が構成する手に持って使用する道具の例としてボタン押し具１２の全体の概略を示す斜視図である。
【考案を実施するための形態】
【００１７】
以下、本考案に係る実施の形態を、図を参照しながら詳しく説明する。なお、本明細書及び図面において、実質的に同一の機能構成を有する構成要素については、同一の符号を付することにより重複説明を省略する。
【００１８】
図１は、本考案に係る積層樹脂板１の正面図を示し、図２には、積層樹脂板１のＡ−Ａ部分拡大断面図を示している。図１に示すように、積層樹脂板１は、例えば女の子のキャラクターを模した人型形状を有し、図３に示すように、キャラクターの足元部分をスタンドＳで固定することで、積層樹脂板１を立設可能とし、キャラクターの卓上装飾具１０として使用することができる。また、前記人型形状を有した積層樹脂板１をキーホルダーとして形成してもよい。これらの卓上装飾具１０及びキーホルダーは視覚的な美感を備える視覚的装飾物として用いることができる。
【００１９】
ここで、図２に示すように、積層樹脂板１の厚さ方向の中心部は芯板２としてのアクリル樹脂製の平板によって構成されてなる。また、芯板２の正面３には女の子のキャラクターが表示された印刷５（図１中のドットパターン部分）が付されてなる。そして、芯板２の正面３上には、前記印刷５の上からウレタン樹脂からなる透明な保護層６（６ａ）が、印刷５を被覆して形成されてなる。また、本実施形態においては、芯板２の裏面４にもウレタン樹脂からなる保護層６（６ｂ）が形成されてなる。
【００２０】
このように、芯板２の正面３及び裏面４のいずれにも保護層６を形成することにより、平板を切削加工した際に、芯板２の正面３側の外周縁に形成される角部７ａ、及び裏面４側の外周縁に形成される角部７ｂのいずれも、芯板２の外周縁（角部７ａ、７ｂ）から芯板２の幅方向の中央部に向かって保護層６の外周縁部８が厚くなるように形成され、また、保護層６の外周縁部８の外表面は外側に凸となる曲面に形成されてなる。
【００２１】
また、積層樹脂板１は、図４に示すように、芯板２の周側面９の一部が、手指で握るための握り部１１となる曲面を備える取手に形成されても好ましい。なお、この場合、積層樹脂板１は、取手である握り部１１及び握り部１１を掴んで使用する道具、例えば図４に示す直接に指で触れずにボタンを押すことができるボタン押し具１２などを構成してもよい。なお、ボタン押し具１２についても、図２に示すように、芯板２の正面３及び裏面４のいずれにも保護層６を形成することにより、平板を切削加工した際に、芯板２の正面３側の外周縁に形成される角部７ａ、及び裏面４側の外周縁に形成される角部５ｂのいずれも、芯板２の外周縁（角部７ａ、７ｂ）から芯板２の幅方向の中央部に向かって保護層６の外周縁部８が厚くなるように形成され、また、保護層６の外周縁部８の外表面は外側に凸となる曲面に形成されてなる。なお、図４に係るボタン押し具１２にあっては、図２の印刷５は形成されていないが、必要に応じて印刷５を正面３及び裏面４のいずれか、または双方に施しても好ましい。
【００２２】
ボタン押し具１２は握り部１１を掴んで手に持ち、押圧部１３をボタンに押し当ててエレベーターなどのボタンを押すことができる。これにより、不特定多数の人間が触れるボタンに直接触れることなくボタンを押すことができ、不意の感染原因と自己の手指との接触を避け、感染することを防止することができる。
【００２３】
ここで、保護層６の形成方法の一例を説明すると、前記キャラクターの形状にレーザー切削加工されたアクリル樹脂製の芯板２の正面３上に、前記女の子のキャラクターを表示する印刷５が施される。その後、正面３が水平面となるように芯板２を載置し、印刷５の上から正面３上に液体状態のウレタン樹脂を、正面３全体を覆うまで滴下して塗布する。液体状のウレタン樹脂は、芯板２の外周縁で表面張力によって盛り上がった状態となるまで滴下されて、滴下の工程を完了する。その後、正面３を水平に保持したままウレタン樹脂を乾燥固化させる。さらに、芯板２の裏面４側についても、正面３側の保護層６ａが乾燥固化した後に、裏面４を上方に向けて水平に保持した後、正面３側の保護層６ａと同様にウレタン樹脂を滴下した後、乾燥固化することによって保護層６ｂを形成することができる。これにより、芯板２の正面３及び裏面４の両面に保護層６を形成することができる。
【００２４】
これにより、乾燥固化したウレタン樹脂の保護層６は、前記芯板２の幅方向の中央部では均一な厚さを実現しつつ、保護層６の外周縁部８は、その外周縁端から前記中央部に向かって厚くなるように形成されて、保護層６の外周縁部８の外表面は外側に凸となる曲面に形成された形状を実現することができる。
【００２５】
保護層６の形成により、芯板２の角部７ａの正面部分３ａ及び角部７ｂの裏面部分４ｂが保護層６によって被覆される。本実施の形態に係る装飾具を手に持った際に、手は、露出した芯板２の周側面９及び当該周側面９に連続する外側に凸となる曲面を有する保護層の外表面に触れるのみであるため、皮膚を傷つけることを防止することができる。
【符号の説明】
【００２６】
１  積層樹脂板
２  芯板
３  正面
４  裏面
５  印刷
６  保護層
７  角部
８  保護層６の外周縁部
９  側面
１０  卓上装飾具
１２  ボタン押し具
【図１】
0003228316.tif 000003
【図２】
0003228316.tif 000004
【図３】
0003228316.tif 000005
【図４】
0003228316.tif 000006